(57)【要約】【課題】視聴判定装置が同時処理可能なコンテンツ数より多く同時に受信できるコンテンツ配信システム【解決手段】配信装置と、配信装置と回線にて接続された受信機と、受信機に接続された複数の視聴判定装置とを備えるコンテンツ配信システムであって、受信機は、複数の視聴判定装置の判定装置識別情報と受付けた契約内容とを記載した契約要求を送信する契約要求手段と、受信した個別情報から抽出した判定装置識別情報の視聴判定装置に受信した個別情報を出力する契約受信手段とを備え、配信装置は、契約要求から契約内容と複数の判定装置識別情報とを抽出し、判定装置識別情報と契約内容に基づく契約情報とを記載した個別情報を抽出した全ての判定装置識別情報について生成して送信する契約手段を備え、視聴判定装置は、契約受信手段から受けた個別情報から契約情報を取得して記憶する契約登録手段を備えることを特徴とするコンテンツ配信システム。【選択図】図１
2007266734.tif 000002
【特許請求の範囲】
【請求項１】
コンテンツを配信する配信装置と、前記配信装置と回線にて接続され、前記配信装置が配信したコンテンツを受信する受信機と、前記受信機に接続された複数の視聴判定装置とを備えるコンテンツ配信システムであって、
前記受信機は、
契約内容の入力を受付けて、前記複数の視聴判定装置各々に固有の判定装置識別情報と前記受付けた契約内容とを含む契約要求を送信する契約要求手段と
前記配信装置から個別情報を受信して、前記受信した個別情報各々から判定装置識別情報を抽出し、判定装置識別情報が一致する視聴判定装置に前記受信した個別情報を出力する契約受信手段と
を備え、
前記配信装置は、前記契約要求手段が送信した契約要求から契約内容と複数の判定装置識別情報とを抽出し、前記抽出した判定装置識別情報と前記抽出した契約内容に基づく契約情報とを含む個別情報を前記抽出した全ての判定装置識別情報について生成して、前記受信機に送信する契約手段を備え、
前記視聴判定装置は、前記契約受信手段から受けた該個別情報から契約情報を取得して記憶する契約登録手段を備えること
を特徴とするコンテンツ配信システム。
【請求項２】
前記受信機の契約要求手段は、前記判定装置識別情報と前記契約内容とともに、自装置固有の機器識別情報も含む契約要求を送信し、
前記配信装置の契約手段は、前記契約要求手段が送信した契約要求から契約内容と機器識別情報と前記複数の判定装置識別情報とを抽出し、前記抽出した判定装置識別情報と前記契約内容に基づく契約情報とを含む個別情報を前記抽出した全ての判定装置識別情報について生成して、前記受信機に送信し、
前記視聴判定装置の契約登録手段は、前記契約受信手段が出力した個別情報を受け、該個別情報から契約情報と機器識別情報とを取得して、前記取得した契約情報と機器識別情報とを記憶し、
前記配信装置は、コンテンツをスクランブルする際に用いたスクランブル鍵を含む共通情報を、前記スクランブルしたコンテンツとともに配信する配信手段を備え、
前記受信機は、
自装置固有の機器識別情報と
前記配信装置が前記スクランブルしたコンテンツとともに配信した共通情報を受信し、前記機器識別情報とともにいずれかの前記視聴判定装置に出力し、その返信としてスクランブル鍵を取得する受信手段と
を備え、
前記視聴判定装置は、前記受信機が出力した機器識別情報と共通情報とを受信し、必要な契約情報を前記契約登録手段が記憶しており且つ前記受信した機器識別情報と前記記憶した機器識別情報とが一致したときは、前記受信した共通情報よりスクランブル鍵を抽出して前記受信機に出力する視聴判定手段を備えること
を特徴とする請求項１に記載のコンテンツ配信システム。
【請求項３】
前記配信装置は、コンテンツを放送により配信し、
前記配信装置の契約手段は、前記生成した個別情報を放送により送信し、
前記受信機の契約受信手段は、前記配信装置が放送により送信した個別情報を受信すること
を特徴とする請求項１または請求項２に記載のコンテンツ配信システム
【請求項４】
配信装置が配信したコンテンツと共通情報とを受信し、複数の視聴判定装置を接続される受信機であって、
前記複数の視聴判定装置各々の共通情報の処理状況に基づき、前記受信した共通情報の出力先となる視聴判定装置を決定する受信処理手段を備えることを特徴とする受信機。
【請求項５】
コンテンツを配信する配信装置と、前記配信装置と回線にて接続され、前記配信装置が配信したコンテンツを受信する受信機と、前記受信機に接続された複数の視聴判定装置とを備えるコンテンツ配信システムにおける配信方法において、
前記受信機が、契約内容の入力を受付けて、前記複数の視聴判定装置各々に固有の判定装置識別情報と前記受付けた契約内容とを含む契約要求を送信する第１の過程と、
前記配信装置が、前記受信機が送信した契約要求から契約内容と複数の判定装置識別情報とを抽出し、前記抽出した判定装置識別情報と前記契約内容に基づく契約情報とを含む個別情報を前記抽出した全ての判定装置識別情報について生成して、前記受信機に送信する第２の過程と、
前記受信機が、前記配信装置から個別情報を受信して、前記受信した個別情報から判定装置識別情報を抽出し、判定装置識別情報が一致する視聴判定装置に前記受信した個別情報を出力する第３の過程と、
前記視聴判定装置が、前記受信機が出力した個別情報を受け、該個別情報から契約情報を取得して記憶する第４の過程と
を備えることを特徴とする配信方法。
【請求項６】
コンテンツを配信する配信装置と、前記配信装置と回線にて接続され、前記配信装置が配信したコンテンツを受信する受信機と、前記受信機に接続された複数の視聴判定装置とを備えるコンテンツ配信システムにおける受信機において、
前記受信機は、
契約内容の入力を受付けて、前記複数の視聴判定装置各々に固有の判定装置識別情報と前記受付けた契約内容とを含む契約要求を送信する契約要求手段と
前記配信装置から個別情報を受信して、前記受信した個別情報から判定装置識別情報を抽出し、判定装置識別情報が一致する視聴判定装置に前記受信した個別情報を出力する契約受信手段と
を備えることを特徴とする受信機。
【発明の詳細な説明】
【技術分野】
【０００１】
本発明は、コンテンツ配信システム、配信方法および受信機、特に受信機が同時に複数のコンテンツを受信可能なコンテンツ配信システム、配信方法および受信機に関する。
【背景技術】
【０００２】
従来の地上波デジタル放送システム、ＢＳ／ＣＳデジタル放送システムにおいて、有料放送及び放送番組を保護する目的で、放送局から放送される映像・音声およびデータなどのコンテンツはスクランブル化され、受信機において所定の機器がないと映像・音声およびデータなどのコンテンツを処理できない限定受信と呼ばれる仕組みで放送されている。この限定受信の概念を図７に示す。
【０００３】
図７における送信側の処理をまず説明する。
（１）スクランブル化処理
送信側は、コンテンツ（映像）をスクランブル装置５１１にてスクランブル処理を施して、多重化装置５１４へ渡す。
ここで、スクランブル処理とは、ＭＵＬＴＩ２など共通鍵暗号方式の暗号アルゴリズムにより暗号化を施すことである。このスクランブル処理に用いる鍵をスクランブル鍵（Ｋｓ）と呼ぶ。また、送信側は、このスクランブル鍵（Ｋｓ）を定期的に交換する。
（２）ＥＣＭ（Entitlement Control Message；共通情報）送信処理
送信側は、暗号化装置５１２にて、ワーク鍵（Ｋｗ）でスクランブル鍵（Ｋｓ）を共通鍵暗号方式の暗号アルゴリズムにより暗号化して、ＥＣＭ（共通情報）を生成し、多重化装置５１４へ渡す。
（３）ＥＭＭ（Entitlement Management Message；個別情報）送信処理
送信側は、暗号化装置５１３にて、マスター鍵（Ｋｍ）でワーク鍵（Ｋｗ）および契約情報を同様に暗号化して、ＥＭＭ（個別情報）を生成し、多重化装置５１４へ渡す。契約情報は、当該ＥＭＭの宛先となっているユーザが有料コンテンツに対する契約を保持しているか否かなどを含む情報である。
（４）多重化および送信処理
送信側は、スクランブル化されたコンテンツ、暗号化されたＥＣＭおよびＥＭＭを多重化装置５１４にてＭＰＥＧ（Moving Picture Experts Group）２−ＴＳ（Transport Stream）に多重化し、放送波により送信する。
【０００４】
次に図７における受信側の処理を説明する。
（５）受信および分離処理
アンテナおよびチューナ（図示せず）を用いて放送波からＭＰＥＧ２−ＴＳを受信し、スクランブル化されたコンテンツ（映像）、暗号化されたＥＭＭおよびＥＣＭを、分離部５２１にて分離し、デスクランブル部５２２、復号部５２５、５２７へ渡す。
（６）ＥＭＭ受信処理
復号部５２７にて、暗号化されたＥＭＭからワーク鍵（Ｋｗ）および契約情報をマスター鍵（Ｋｍ）を用いて復号し、ワーク鍵（Ｋｗ）および契約情報を記憶部５２８に格納する。
（７）ＥＣＭ受信処理
復号部５２５にて、暗号化されたＥＣＭからスクランブル鍵（Ｋｓ）をワーク鍵（Ｋｗ）を用いて復号し、ＥＭＭ受信処理にて得て記憶部５２８に格納されている契約情報から受信したコンテンツを視聴する権利の有無を視聴判定部５２６にて判定する。判定の結果が有の場合、視聴判定部５２６は、スクランブル鍵（Ｋｓ）を出力する。
（８）デスクランブル処理
ＥＣＭ受信処理が出力したスクランブル鍵（Ｋｓ）でコンテンツ（映像）を、デスクランブル部５２２にてデスクランブルし、コンテンツ（映像）を取り出す。取り出したコンテンツは、表示部５２３にて表示する、あるいは、蓄積部５２４に蓄積する。
【０００５】
以上の送信側および受信側の一連の処理で、視聴する権利がある受信機だけが、スクランブルを解いて、コンテンツを視聴することが可能になる。
【０００６】
《ＩＣカードによる暗号処理》
このようなシステムでは、暗号や各種鍵の管理などには堅牢性が求められる。受信側では、ＩＣカードを使用し、図８に示すようにＩＣカード中にＥＭＭおよびＥＣＭの復号部５２５、５２７、視聴判定部５２６および各種鍵を記憶する記憶部５２８を内蔵し、堅牢性を満たしている。つまり、上述の図７で説明した、（６）ＥＭＭ受信処理、（７）ＥＣＭ受信処理はＩＣカード内で処理する。ＩＣカードインタフェース処理部５３１は、受信機の制御部との通信を司る処理部で、ＩＣカードと外部との唯一のインターフェースである。具体的には物理層は、調歩同期のシリアルインタフェースで、その上位層がコマンド／レスポンス方式のプロトコルとなっている。これにより、外部からＩＣカード内部のメモリなどに直接アクセスして読み取りや書き込みをすることはできず、ＩＣカードの独立性（モジュール化）をなしている。
【０００７】
また、図９に示すように、地上波デジタル放送やＢＳ／ＣＳデジタル放送では、送信側と受信側とはモデムなどを介して、公衆回線により接続する。これにより、放送波にて配信された番組に対するアンケートの回答や、クイズ番組の回答などの視聴者からの情報を送信側に送ることができるようになっている。
送信側は、地上波デジタル放送やＢＳ／ＣＳデジタル放送を送信する装置を備えた放送機能と有料番組の契約者を管理する契約者情報管理とから構成する。
受信側は、地上波デジタル放送やＢＳ／ＣＳデジタル放送を受信する為の次の一連の部品：アンテナ、チューナ部、デスクランブラ、ＴＳデコード部、映像・音声デコード部、表示部、制御部、キー入力部、リモコン／キーボード、ＩＣカードで構成する。ここで、説明の都合上、受信側は、ＩＣカードとＩＣカード以外の処理部から構成される受信機とかならなるものとする。
【０００８】
図１０に同システムにおけるデジタル放送受信までのシーケンスを示す
（Ａ）放送機能は、個々のＩＣカード毎にＥＭＭを送信する（Ｓ８１）。ＥＭＭには、契約形態などの情報とワーク鍵（Ｋｗ、後述）が含まれており、共通鍵暗号方式で暗号化されており、その暗号鍵は、ＩＣカードの個別ＩＤに対応するマスター鍵（Ｋｍ）である。
（Ｂ）受信側は、受信機の機能でＥＭＭを受信し、ＩＣカードに対して、ＥＭＭ受信コマンドで、ＩＣカード内の契約情報を設定する（Ｓ８２、Ｓ８３）。ここまでで、デジタルＴＶ受信（有料放送ではない）の準備は完了する。
（Ｃ）放送機能は、スクランブル鍵（Ｋｓ）を用いて、映像・音楽などのコンテンツをスクランブル化し、他のデータと多重化して放送する（Ｓ８７）。また、その時のスクランブル鍵（Ｋｓ）も共通鍵暗号方式で暗号化し、他のデータと多重化して放送する（Ｓ８４）。ここで暗号鍵はワーク鍵（Ｋｗ）である。この暗号化処理されたスクランブル鍵（Ｋｓ）をＥＣＭと呼ぶ。
（Ｄ）受信側は、受信機の機能でＥＣＭおよびコンテンツを受信し（Ｓ８４）、ＩＣカードに対して、ＥＣＭ受信コマンドを発行して（Ｓ８５）、スクランブル鍵（Ｋｓ）を取り出して（Ｓ８６）、そのスクランブル鍵（Ｋｓ）でコンテンツのスクランブルを解き、映像・音楽などを視聴する。なお、ＩＣカード内では、契約情報の判定をおこない、その結果、視聴可能ならスクランブル鍵（Ｋｓ）をレスポンスとして受信機に返す。
以上の一連のシーケンスで、デジタルＴＶ放送を受信する。
【０００９】
《実運用上の制約》
また、放送事業者は、何らかの原因でスクランブル鍵が漏れても大丈夫な様に、図１１に示すようにＥＣＭ内のスクランブル鍵（Ｋｓ）を定期的に変更している。図１１において、コンテンツ１はＫｓ１１にてスクランブル化され、次の時間帯はｓＫ１２にてスクランブル化される。このとき、コンテンツ１をスクランブル化している時間帯にあわせて、ＥＣＭにてＫｓ１１またはＫｓ１２が送信されている。コンテンツ２も同様にＫｓ２１とＫｓ２２にてスクランブル化されており、これらのスクランブル鍵がＥＣＭにて送信されている。従って、コンテンツ１とコンテンツ２とを同時に受信するには、ＩＣカードでは、最初の更新周期内にＫｓ１１のＥＣＭとＫｓ２１のＥＣＭを処理して、Ｋｓ１１とＫｓ２１を取得し、次の更新周期内にＫｓ１２のＥＣＭとＫｓ２２のＥＣＭを処理して、Ｋｓ１２とＫｓ２２を取得しなければならない。ＡＲＩＢ（Association of Radio Industries and Businesses；社団法人電波産業会）規定では、その周期は、最短で２秒と定めている。これは、ＩＣカードがＥＣＭを復号し、スクランブル鍵（Ｋｓ）を取り出す時間を、０．８秒と想定し、１つのＩＣカードで同時処理するコンテンツの数を２つとして割り出した値である。
【発明の開示】
【発明が解決しようとする課題】
【００１０】
しかしながら、ＨＤＤ（Hard Disk Drive）録画機などの受信機において、並行して放送されている番組（コンテンツ）を同時に受信するために多数のチューナを備えても、ＩＣカードが同時に処理できる番組数に制限があるために、スクランブル化されている番組をこの制限を越えて同時に受信できないという問題がある。
【００１１】
本発明は、このような事情に鑑みてなされたもので、その目的は、スクランブル化されているコンテンツを、１つのＩＣカードが同時に処理できる番組数を越えて同時に受信できるコンテンツ配信システム、配信方法および受信機を提供することにある。
【課題を解決するための手段】
【００１２】
この発明は上述した課題を解決するためになされたもので、本発明のコンテンツ配信システムは、コンテンツを配信する配信装置と、前記配信装置と回線にて接続され、前記配信装置が配信したコンテンツを受信する受信機と、前記受信機に接続された複数の視聴判定装置とを備えるコンテンツ配信システムであって、前記受信機は、契約内容の入力を受付けて、前記複数の視聴判定装置各々に固有の判定装置識別情報と前記受付けた契約内容とを含む契約要求を送信する契約要求手段と前記配信装置から個別情報を受信して、前記受信した個別情報各々から判定装置識別情報を抽出し、判定装置識別情報が一致する視聴判定装置に前記受信した個別情報を出力する契約受信手段とを備え、前記配信装置は、前記契約要求手段が送信した契約要求から契約内容と複数の判定装置識別情報とを抽出し、前記抽出した判定装置識別情報と前記抽出した契約内容に基づく契約情報とを含む個別情報を前記抽出した全ての判定装置識別情報について生成して、前記受信機に送信する契約手段を備え、前記視聴判定装置は、前記契約受信手段から受けた該個別情報から契約情報を取得して記憶する契約登録手段を備えることを特徴とする。
【００１３】
また、本発明のコンテンツ配信システムは、上述のコンテンツ配信システムであって、前記受信機の契約要求手段は、前記判定装置識別情報と前記契約内容とともに、自装置固有の機器識別情報も含む契約要求を送信し、前記配信装置の契約手段は、前記契約要求手段が送信した契約要求から契約内容と機器識別情報と前記複数の判定装置識別情報とを抽出し、前記抽出した判定装置識別情報と前記契約内容に基づく契約情報とを含む個別情報を前記抽出した全ての判定装置識別情報について生成して、前記受信機に送信し、前記視聴判定装置の契約登録手段は、前記契約受信手段が出力した個別情報を受け、該個別情報から契約情報と機器識別情報とを取得して、前記取得した契約情報と機器識別情報とを記憶し、前記配信装置は、コンテンツをスクランブルする際に用いたスクランブル鍵を含む共通情報を、前記スクランブルしたコンテンツとともに配信する配信手段を備え、前記受信機は、自装置固有の機器識別情報と前記配信装置が前記スクランブルしたコンテンツとともに配信した共通情報を受信し、前記機器識別情報とともにいずれかの前記視聴判定装置に出力し、その返信としてスクランブル鍵を取得する受信手段とを備え、前記視聴判定装置は、前記受信機が出力した機器識別情報と共通情報とを受信し、必要な契約情報を前記契約登録手段が記憶しており且つ前記受信した機器識別情報と前記記憶した機器識別情報とが一致したときは、前記受信した共通情報よりスクランブル鍵を抽出して前記受信機に出力する視聴判定手段を備えることを特徴とする。
【００１４】
また、本発明のコンテンツ配信システムは、上述のいずれかのコンテンツ配信システムであって、前記配信装置は、コンテンツを放送により配信し、前記配信装置の契約手段は、前記生成した個別情報を放送により送信し、前記受信機の契約受信手段は、前記配信装置が放送により送信した個別情報を受信することを特徴とする。
【００１５】
また、本発明の受信機は、配信装置が配信したコンテンツと共通情報とを受信し、複数の視聴判定装置を接続される受信機であって、前記複数の視聴判定装置各々の共通情報の処理状況に基づき、前記受信した共通情報の出力先となる視聴判定装置を決定する受信処理手段を備えることを特徴とする。
【００１６】
また、本発明の配信方法は、コンテンツを配信する配信装置と、前記配信装置と回線にて接続され、前記配信装置が配信したコンテンツを受信する受信機と、前記受信機に接続された複数の視聴判定装置とを備えるコンテンツ配信システムにおける配信方法において、前記受信機が、契約内容の入力を受付けて、前記複数の視聴判定装置各々に固有の判定装置識別情報と前記受付けた契約内容とを含む契約要求を送信する第１の過程と、前記配信装置が、前記受信機が送信した契約要求から契約内容と複数の判定装置識別情報とを抽出し、前記抽出した判定装置識別情報と前記契約内容に基づく契約情報とを含む個別情報を前記抽出した全ての判定装置識別情報について生成して、前記受信機に送信する第２の過程と、前記受信機が、前記配信装置から個別情報を受信して、前記受信した個別情報から判定装置識別情報を抽出し、判定装置識別情報が一致する視聴判定装置に前記受信した個別情報を出力する第３の過程と、前記視聴判定装置が、前記受信機が出力した個別情報を受け、該個別情報から契約情報を取得して記憶する第４の過程とを備えることを特徴とする。
【００１７】
また、本発明の受信機は、コンテンツを配信する配信装置と、前記配信装置と回線にて接続され、前記配信装置が配信したコンテンツを受信する受信機と、前記受信機に接続された複数の視聴判定装置とを備えるコンテンツ配信システムにおける受信機において、前記受信機は、契約内容の入力を受付けて、前記複数の視聴判定装置各々に固有の判定装置識別情報と前記受付けた契約内容とを含む契約要求を送信する契約要求手段と前記配信装置から個別情報を受信して、前記受信した個別情報から判定装置識別情報を抽出し、判定装置識別情報が一致する視聴判定装置に前記受信した個別情報を出力する契約受信手段とを備えることを特徴とする。
【発明の効果】
【００１８】
この発明によれば、受信機に複数の視聴判定装置を接続し、且つ、入力された契約内容に基づく契約情報を接続されている全ての視聴判定装置に記憶させることで、受信機は、１つの視聴判定装置が同時に処理できるコンテンツ数を越えて同時に受信することができる。
【発明を実施するための最良の形態】
【００１９】
以下、図面を参照して、本発明の実施の形態について説明する。図１は、この発明の一実施形態によるコンテンツ配信システムであるデジタル放送システムの構成を示す概略ブロック図である。１０は、送信装置（配信装置）であり、放送処理部１１、契約処理部１２、カードＤＢ（データベース）１３、番組ＤＢ１４、契約ＤＢ１５を備える。
【００２０】
放送処理部（配信手段）１１は、コンテンツである番組の映像と音声をＭＰＥＧ２にて符号化してＭＰＥＧ２−ＴＳに多重化し、ＭＰＥＧ２−ＴＳ中の番組をスクランブル（暗号化）して放送波にて配信するとともに、番組をスクランブルする際に用いたスクランブル鍵を前記ワーク鍵にて暗号化して記載したＥＣＭ（共通情報）を、このＭＰＥＧ２−ＴＳに多重して配信する。また、番組としては、映像と音声だけでなく、ＢＭＬ（Broadcast Markup Language）についてもＭＰＥＧ２−ＴＳに多重して配信することも可能である。なお、放送波としては、地上デジタル放送のＵＨＦ（Ultra High Frequency）帯やＢＳデジタル放送の１２ＧＨｚ帯などのいずれかであってもよいし、これらのうちの複数もしくは全てであってもよい。
【００２１】
契約処理部（契約手段）１２は、受信機２０が送信した契約要求から契約内容と機器ＩＤと個別カードＩＤとを抽出し、これらとカードＤＢ１３および番組ＤＢを参照して、各個別カードＩＤのＥＭＭ（個別情報）を生成して、受信機２０に送信する。各ＥＭＭには、個別カードＩＤと、該個別カードＩＤに対応するマスター鍵にて暗号化されたワーク鍵および契約情報（契約する番組の番組ＩＤなど）が記載されている。契約処理部１２の詳細については、動作の説明にて述べる。
【００２２】
カードＤＢ１３は、図３（ａ）に例を示すように、各ＩＣカード３０ａ、３０ｂの個別カードＩＤと、各ＩＣカード３０ａ、３０ｂが備えるマスター鍵との対応を記憶しているデータベースである。
番組ＤＢ１４は、図３（ｂ）に例を示すように、各番組の識別情報である番組ＩＤとその番組のＥＣＭ（共通情報）を暗号化するワーク鍵との対応を記憶しているデータベースである。
【００２３】
契約ＤＢ１５は、図３（ｃ）に例を示すように、ユーザが視聴権を購入した番組の番組ＩＤと視聴可能なＩＣカードの個別カードＩＤと契約タイプと従属先と機器ＩＤとを対応付けて記憶しているデータベースである。ここで、契約タイプには、例として、２種類あり、Ａ１は該番組ＩＤの番組を任意の受信機で視聴可能な契約タイプであり、Ａ２は該番組ＩＤの番組を機器ＩＤで指定された受信機でのみ視聴可能な契約タイプである。複数のＩＣカード３０ａ、３０ｂを挿入された受信機では、これらのＩＣカード３０ａ、３０ｂの中で１枚のみがメインのＩＣカードとなり、残りはサブのＩＣカードとなる。メインのＩＣカードについては、契約タイプはＡ１となり、サブのＩＣカードについては、契約タイプはＡ２となる。また、従属先は、契約タイプがＡ２の場合のメインのＩＣカードの個別カードＩＤである。機器ＩＤは、契約タイプがＡ２の場合の視聴可能な受信機の機器ＩＤである。
【００２４】
受信機２０は、送信装置１０が放送波にて配信する番組を受信するデジタルＴＶなどであり、図２に示すように、アンテナ２０１、モデム２０２、表示部２０３、モニタ出力２０４、リモコン／キーボード２０５、キー入力部２０６、コンテンツ処理部２１０ａ、２１０ｂ、制御部２２０を備える。
アンテナ２０１は、番組を配信している放送波を受信する。
モデム２０２は、制御部２２０の指示に基づき、公衆回線４０を介して、送信装置１０と通信する。
表示部２０３は、制御部２２０の指示に基づく画像の映像信号を生成して出力する。
【００２５】
モニタ出力２０４は、映像音声デコード部２１４ａ、２１４ｂが出力する映像信号の画像に、表示部２０３の映像信号の画像を重ねた画像の映像信号を受けて、これを表示するとともに、映像音声デコード部２１４ａ、２１４ｂが出力する音声信号を受けて、音声を鳴動する。
リモコン／キーボード２０５は、チャンネル指定などユーザが受信機２０を操作するための入力装置である。キー入力部２０６は、リモコン／キーボード２０５に入力されたキー入力を受付けて、制御部２２０に通知する。
【００２６】
コンテンツ処理部２１０ａ、２１０ｂは、アンテナ２０１が受信した放送波にて配信された番組を処理する機能であり、チューナ部２１１ａ、２１１ｂ、デスクランブラ２１２ａ、２１２ｂ、ＴＳデコード部２１３ａ、２１３ｂ、映像音声デコード部２１４ａ、２１４ｂからなる。チューナ部２１１ａ、２１１ｂは、アンテナ２０１が受信した放送波から制御部２２０により指示されたＭＰＥＧ２−ＴＳを抽出して出力する。デスクランブラ２１２ａ、２１２ｂは、制御部２２０により設定されたスクランブル鍵にて、入力されたＭＰＥＧ２−ＴＳ中の番組をデスクランブル（復号）する。ＴＳデコード部２１３ａ、２１３ｂは、入力されたＭＰＥＧ２−ＴＳからＥＣＭ（共通情報）を抽出して制御部２２０に出力する。映像音声デコード部２１４ａ、２１４ｂは、ＭＰＥＧ２にて符号化されているＭＰＥＧ２−ＴＳ中の番組（映像、音声）をデコードして、映像、音声信号を出力する。
【００２７】
なお、図２の受信機２０では、コンテンツ処理部として、コンテンツ処理部２１０ａおよび２１０ｂの２つを図示したが、３つの番組を同時処理する受信機の場合はコンテンツ処理部を３つ備え、４つの番組を同時処理する受信機の場合はコンテンツ処理部を４つ備えるというように、同時処理する番組数分のコンテンツ処理部を備える必要がある。本実施形態では、各ＩＣカード３０ａ、３０ｂは２つの番組のＥＣＭを同時処理する性能を持ち、受信機２０は４つのコンテンツ処理部２１０ａ~２１０ｄを備えるとする（コンテンツ処理部２１０ｃ、２１０ｄは図示せず）。
【００２８】
制御部２２０は、受信機２０をコントロールする機能であり、図１の機器ＩＤ２１、受信処理部２２、契約要求処理部２３、ＥＭＭ受信処理部２４を備える。
機器ＩＤ（機器識別情報）２１は、受信機２０固有のＩＤであり、本実施形態の受信機２０では、「１２３」とする。
【００２９】
受信処理部（受信手段）２２は、送信装置１０の放送処理部１１がスクランブルした番組とともに定期的に配信したＥＣＭ（共通情報）をＴＳデコード部２１３ａ、２１３ｂより取得し、メインカードであるＩＣカード３０ａに出力して、その返信としてスクランブル鍵を取得する。受信処理部２２は、受信中の番組のＥＣＭ（共通情報）をどのＩＣカードに出力して処理しているかと各ＩＣカードが同時処理可能なＥＣＭの最大数を処理状況テーブルに記憶して管理しており、例えば図４に示す処理状況テーブルの記憶内容例のように、ＩＣカード３０ａの処理可能なＥＣＭの最大数が２であり、既に２つの番組のＥＣＭの処理を行っている場合は、機器ＩＤ２１とともにＥＣＭ（共通情報）をＩＣカード３０ｂに出力し、その返信としてスクランブル鍵を取得する。ＩＣカード３０ａまたは３０ｂから取得したスクランブル鍵は、番組をデスクランブルするためにデスクランブラ２１２ａまたは２１２ｂに設定する。
【００３０】
契約要求処理部（契約要求手段）２３は、データ放送によるＢＭＬに基づき、制御部２２０が表示部２０３に指示して、例えば、契約候補の番組名称一覧から希望の番組名称を選択するなどの契約入力の画像をモニタ出力２０４に表示させ、該画像に対する契約内容の入力をキー入力部２０６から受付け、ＩＣカード３０ａと３０ｂの個別カードＩＤと受付けた契約内容とを記載した契約要求の送信をモデム２０２に指示する。このとき、受信機２０に複数のＩＣカード３０ａ、３０ｂが挿入されている場合は、このうちの一つをメインのＩＣカード、残りをサブのＩＣカードとし、契約要求に記載する個別カードＩＤ各々がメインのＩＣカードのものか、サブのＩＣカードのものかについても契約要求に記載する。メインのＩＣカードの指定方法は、特定のスロットに挿入されたＩＣカードをメインとしてもよいし、ユーザに個別カードＩＤを指定されたものをメインとしてもよいし、個別カードＩＤの値が最も小さいあるいは大きいものをメインとしてもよい。
【００３１】
なお、この契約要求処理部２３が表示部２０３に指示して表示させる契約候補の番組名称一覧などの元になるデータは、放送波を用いたデータ放送によるＢＭＬであるとして説明したが、公衆回線４９または受信機が接続されたインターネット（図示せず）などにより配信されたＢＭＬでもよい。また、ＢＭＬではなく、放送しているＭＰＥＧ２−ＴＳ中のＰＳＩ／ＳＩ（Program Specific Information／Service Information）により配信してもよい。
また、契約入力の画像は、契約候補の番組名称一覧として説明したが、ＢＳ／ＣＳデジタル放送などで用いられているＰＰＶ購入画面のように、プレビュー（試視聴）している放送中の番組の購入／非購入を選択する画面でもよい。
【００３２】
ＥＭＭ受信処理部（契約受信手段）２４は、モデム２０２が公衆回線４０を介して送信装置１０から受信したＥＭＭ（個別情報）を取得し、このＥＭＭに記載の個別カードＩＤと個別カードＩＤが一致するＩＣカード３０ａ、３０ｂに、このＥＭＭを出力する。
【００３３】
ＩＣカード（視聴判定装置）３０ａ、３０ｂは、各番組が契約済みであるか確認することで、視聴可否を判定する視聴判定装置であり、それぞれＥＣＭ処理部３１ａ、３１ｂとＥＭＭ処理部３２ａ、３２ｂを備える。
ＥＭＭ処理部（契約登録手段）３２ａ、３２ｂは、受信機２０からＥＭＭ（個別情報）を受けて、該ＥＭＭをＩＣカード３０ａ、３０ｂそれぞれに固有のマスター鍵にて復号し、ワーク鍵と契約情報を取得する。ＥＭＭ処理部３２ａ、３２ｂは、取得したワーク鍵と契約情報を、図５（ａ）（ｂ）に示すＥＭＭ処理部３２ａ、３２ｂの記憶内容例のように記憶する。ここで、図５（ａ）（ｂ）に示す個別カードＩＤは、ＥＭＭ処理部３２ａ、３２ｂが記憶している各ＩＣカード３０ａ、３０ｂに固有の番号であり、判定装置識別情報である。マスター鍵は、各ＩＣカード３０ａ、３０ｂに固有の鍵であり、カードＤＢ１３にも同じ値が記憶されている。事業体識別は、送信装置１０を備える放送局毎などに割り当てられる値であり、番組ＩＤなど契約を識別するための値は、この事業体識別の範囲内でユニークな値であればよい。ワーク鍵は、該事業体識別を割り当てられた放送局が配信する番組のＥＣＭを暗号化する際に用いられる鍵であり、番組ＤＢ１４には同一の値が記憶されている。番組ＩＤおよび契約タイプは、契約ＤＢ１５における番組ＩＤおよび契約タイプと同様である。
【００３４】
ＥＣＭ処理部（視聴判定手段）３１ａ、３１ｂは、受信機２０からＥＣＭ（共通情報）を受けて、ＥＭＭ処理部３２ａ、３２ｂにて記憶しているワーク鍵にて該ＥＣＭを復号し、スクランブル鍵を取得する。さらに、このＥＣＭの番組に関する契約情報をＥＭＭ処理部３２ａ、３２ｂが記憶しているか確認し、記憶している場合は視聴可であると判定して、取得したスクランブル鍵を受信機２０へ出力する。このとき、図５（ｂ）に例を示すように、該番組に関する契約タイプが「Ａ２」の場合は、ＥＣＭとともに、機器ＩＤが入力されているか確認し、さらに入力された機器ＩＤとＥＭＭ処理部３２ａ、３２ｂが契約情報として記憶している機器ＩＤとが一致している場合のみ視聴可であると判定して、取得したスクランブル鍵を受信機２０へ出力する。契約情報がない場合、機器ＩＤが入力されていない場合、機器ＩＤが一致しない場合などは視聴不可であると判定して、スクランブル鍵の出力は行わない。
【００３５】
次にこのデジタル放送システムの動作を図６のシーケンス図を参照して説明する。受信機２０のメインのスロットにＩＣカード３０ａを挿入すると、受信機２０の制御部２２０は、これを検出して、ＩＣカード３０ａに個別カードＩＤ情報取得を要求する（Ｓ１）。ＩＣカード３０ａは、この要求を受けると、自身の個別カードＩＤである「００１」を制御部２２０へ出力する（Ｓ２）。次に、サブのスロットにＩＣカード３０ｂを挿入すると、受信機２０の制御部２２０は、これを検出して、ＩＣカード３０ｂに個別カードＩＤ情報取得を要求する（Ｓ３）。ＩＣカード３０ｂは、この要求を受けると、ＩＣカード３０ａと同様に、自身の個別カードＩＤである「００２」を制御部２２０へ出力する（Ｓ４）。
【００３６】
このとき、ここでは、ＩＣカード３０ａのＥＭＭ処理部３２ａは、図５（ａ）に示す例のうちの最初の６行、つまり個別カードＩＤ「００１」、マスター鍵「Ｋｍ１」、事業体識別「１」、ワーク鍵「ＫｗＡ」、番組ＩＤ「ａｂｃ」、契約タイプ「Ａ１」のみを記憶しており、ＩＣカード３０ｂのＥＭＭ処理部３２ｂは、図５（ｂ）に示す例のうちの最初の２行、つまり個別カードＩＤ「００２」、マスター鍵「Ｋｍ２」のみを記憶しているとする。
【００３７】
この状態で、放送処理部１１が番組ｄｅｆと番組ｄｅｆをスクランブルしたスクランブル鍵をワーク鍵ＫｗＡで暗号化したＥＣＭ（共通情報）とを多重化して配信する（Ｓ５）。この番組ｄｅｆの受信をユーザがリモコン／キーボード２０５を操作して指示すると、キー入力部２０６がこの指示を受付けて、制御部２２０に通知する。制御部２２０は、番組ｄｅｆの受信指示をキー入力部２０６から受けると、チューナ２１１ａに番組ｄｅｆを含むＭＰＥＧ２−ＴＳの出力を指示する。チューナ２１１ａは、制御部２２０から指示を受けると、アンテナ２０１が受けた放送波からＭＰＥＧ２−ＴＳを抽出して、デスクランブラ２１２ａに出力する。
【００３８】
デスクランブラ２１２ａには、スクランブル鍵が設定されていないので、デスクランブラ２１２ａは入力されたＭＰＥＧ２−ＴＳを、ＴＳデコード部２１３ａへそのまま出力する。ＴＳデコード部２１３は、入力されたＭＰＥＧ２−ＴＳからＥＣＭを抽出して、制御部２２０へ出力する。制御部２２０の受信処理部２２は、ＴＳデコード部２１３ａからＥＣＭを受けると、処理状況テーブルを参照して、ここでは、ＩＣカード３０ａの処理中番組が登録されていなかったとすると、ＩＣカード３０ａへ出力する（Ｓ６）。ＩＣカード３０ａのＥＣＭ処理部３１ａは、このＥＣＭを受けると、ＥＭＭ処理部３２ａが記憶しているワーク鍵ＫｗＡにて復号するが、該番組ｄｅｆの契約を保持していないので、視聴不可と判断し、スクランブル鍵は出力せずに未契約を制御部２２０へ出力する（Ｓ７）。
【００３９】
このように、契約していない番組（コンテンツ）については、ＩＣカード３０ａ、３０ｂはスクランブル鍵を出力しないので、制御部２２０はデスクランブラ２１２ａまたは２１２ｂにスクランブル鍵を設定することができず、該番組に対するデスクランブル処理が行われない。このため、映像音声デコード部２１４ａまたは２１４ｂによるデコードは行えずモニタ２０４への出力ができない。従って、ユーザは該番組を視聴することができない。
【００４０】
次に、放送処理部１１がデータ放送などで、番組ｄｅｆ、番組ｇｈｉを契約するためのＰＰＶ（Pay Per View；番組単位での購入契約）購入画面をスクランブルせずに配信する。このＰＰＶ購入画面の受信をユーザがリモコン／キーボード２０５を操作して指示すると、キー入力部２０６がこの指示を受付けて、制御部２２０に通知する。制御部２２０は、ＰＰＶ購入画面の受信指示をキー入力部２０６から受けると、チューナ２１１ａにＰＰＶ購入画面を含むＭＰＥＧ２−ＴＳの出力を指示する。チューナ２１１ａは、制御部２２０から指示を受けると、アンテナ２０１が受けた放送波からＭＰＥＧ２−ＴＳを抽出して、デスクランブラ２１２ａに出力する。
【００４１】
デスクランブラ２１２ａには、スクランブル鍵が設定されていないので、デスクランブラ２１２ａは入力されたＭＰＥＧ２−ＴＳを、ＴＳデコード部２１３ａへそのまま出力する。ＴＳデコード部２１３は、入力されたＭＰＥＧ２−ＴＳからＰＰＶ購入画面のＢＭＬファイルなどのデータを抽出して、制御部２２０へ出力する。制御部２２０の受信処理部２２は、ＴＳデコード部２１３ａからＢＭＬファイルなどのデータを受けると、ＰＰＶ購入画面の画像の出力を表示部２０３に指示する（Ｓ８）。
【００４２】
番組ｄｅｆ、番組ｇｈｉの契約（購入）をユーザがリモコン／キーボード２０５を操作して指示すると、キー入力部２０６がこの指示を受付けて、制御部２２０に通知する。制御部２２０は、番組ｄｅｆ、番組ｇｈｉの契約の指示を受けると、その番組ＩＤ「ｄｅｆ」、「ｇｈｉ」と受信機２０のスロットに挿入されているＩＣカード３０ａ、３０ｂの個別カードＩＤ「００１」、「００２」と受信機２０の機器ＩＤ２１「１２３」と個別カードＩＤ「００１」がメインのＩＣカードであることとを記載したＰＰＶ購入の要求を送信装置１０に送信するようモデム２０２に指示する。モデム２０２は、該指示を受けると、指示されたＰＰＶ購入の要求を公衆回線４０を介して、送信装置１０へ送信する（Ｓ９）。
【００４３】
送信装置１０では、ＰＰＶ購入の要求を契約処理部１２が受ける。契約処理部１２は、ＰＰＶ購入の要求を受けると、メインのＩＣカード３０ａ向けのＥＭＭ１とサブのＩＣカード３０ｂ向けのＥＭＭ２を生成する。ＥＭＭ１には、ＩＣカード３０ａの個別カードＩＤ「００１」と事業体識別「１」と番組ｄｅｆおよび番組ｇｈｉに対応するワーク鍵を番組ＤＢ１４より取得した「ＫｗＡ」と番組ＩＤ「ｄｅｆ」「ｇｈｉ」と各番組ＩＤの契約タイプ「Ａ１」を記載し、これらのうち、事業体識別「１」とワーク鍵「ＫｗＡ」および番組ＩＤ「ｄｅｆ」「ｇｈｉ」と各番組ＩＤの契約タイプ「Ａ１」は個別カードＩＤ「００１」に対応するマスター鍵「Ｋｍ１」にて暗号化する。
【００４４】
ＥＭＭ２には、ＩＣカード３０ｂの個別カードＩＤ「００２」と事業体識別「１」と番組ｄｅｆおよび番組ｇｈｉに対応するワーク鍵を番組ＤＢ１４より取得した「ＫｗＡ」と番組ＩＤ「ｄｅｆ」「ｇｈｉ」と各番組ＩＤの契約タイプ「Ａ２」と各番組ＩＤの機器ＩＤ「１２３」を記載し、これらのうち、事業体識別「１」とワーク鍵「ＫｗＡ」と番組ＩＤ「ｄｅｆ」「ｇｈｉ」と契約タイプ「Ａ２」と機器ＩＤ「１２３」とは個別カードＩＤ「００２」に対応するマスター鍵「Ｋｍ２」にて暗号化する。契約処理部１２は、生成したＥＭＭ１、２を、受信機２０へ公衆回線を介して送信する（Ｓ１０）。
また、これらＥＭＭに記述した情報を、図３（ｃ）に例を示すように、契約ＤＢ１５に格納する。この契約ＤＢ１５は、その内容を参照することで、どのユーザがどの番組を購入したかが分かるので、料金の徴収などに利用することができる。
【００４５】
受信機２０のモデム２０２は、公衆回線を介して、契約処理部１２からＥＭＭ１、２を受けると、これらを制御部２２０へ出力する。制御部２２０のＥＭＭ受信処理部２４は、ＥＭＭ１、２を受けると、各ＥＭＭに記載されている個別カードＩＤを参照し、該当するＩＣカード３０ａ、３０ｂに各ＥＭＭを出力する。ここでは、ＥＭＭ１は個別カードＩＤ「００１」が記載されているので、ＩＣカード３０ａへ出力され（Ｓ１１）、ＥＭＭ２は個別カードＩＤ「００２」が記載されているので、ＩＣカード３０ｂへ出力される（Ｓ１２）。
【００４６】
ＩＣカード３０ａは、ＥＭＭ１を受けると、そのＥＭＭ処理部３２ａがマスター鍵Ｋｍ１にて、ＥＭＭ１の暗号化部分を復号し、事業体識別「１」とワーク鍵「ＫｗＡ」および番組ＩＤ「ｄｅｆ」「ｇｈｉ」と各番組ＩＤの契約タイプ「Ａ１」を取得する。ＥＭＭ処理部３２ａは、これらの値を、図５（ａ）に示す例のように記憶する。
また、ＩＣカード３０ｂも、同様にして、ＥＭＭ２を受けると、そのＥＭＭ処理部３２ｂがマスター鍵Ｋｍ２にて、ＥＭＭ２の暗号化部分を復号し、事業体識別「１」とワーク鍵「ＫｗＡ」および番組ＩＤ「ｄｅｆ」「ｇｈｉ」と各番組ＩＤの契約タイプ「Ａ２」と各番組ＩＤの機器ＩＤ「１２３」を取得する。ＥＭＭ処理部３２ｂは、これらの値を、図５（ｂ）に示す例のように記憶する。
【００４７】
この状態で、再び、放送処理部１１が番組ｄｅｆと番組ｄｅｆをスクランブルしたスクランブル鍵をワーク鍵ＫｗＡで暗号化したＥＣＭ（共通情報）とを多重化して配信する（Ｓ１３）。この番組ｄｅｆの受信をユーザがリモコン／キーボード２０５を操作して指示すると、キー入力部２０６がこの指示を受付けて、制御部２２０に通知する。制御部２２０は、番組ｄｅｆの受信指示をキー入力部２０６から受けると、チューナ２１１ａに番組ｄｅｆを含むＭＰＥＧ２−ＴＳの出力を指示する。チューナ２１１ａは、制御部２２０から指示を受けると、アンテナ２０１が受けた放送波からＭＰＥＧ２−ＴＳを抽出して、デスクランブラ２１２ａに出力する。
【００４８】
デスクランブラ２１２ａには、スクランブル鍵が設定されていないので、デスクランブラ２１２ａは入力されたＭＰＥＧ２−ＴＳを、ＴＳデコード部２１３ａへそのまま出力する。ＴＳデコード部２１３は、入力されたＭＰＥＧ２−ＴＳからＥＣＭを抽出して、制御部２２０へ出力する。制御部２２０の受信処理部２２は、ＴＳデコード部２１３ａからＥＣＭを受けると、処理状況テーブルを参照して、ここでは、ＩＣカード３０ａの処理中番組が登録されていなかったとすると、ＩＣカード３０ａへ出力する（Ｓ１４）。
【００４９】
ＩＣカード３０ａのＥＣＭ処理部３１ａは、このＥＣＭを受けると、ＥＭＭ処理部３２ａが記憶しているワーク鍵ＫｗＡにて復号してスクランブル鍵「Ｋｓ１」を取得する。さらに、ＥＣＭ処理部３１ａは、ＥＭＭ処理部３２ａが記憶している契約情報を参照すると、番組ＩＤ「ｄｅｆ」で契約タイプ「Ａ１」を格納しているので、視聴可であると判定し、取得したスクランブル鍵「Ｋｓ１」を受信機２０へ出力する（Ｓ１５）。
【００５０】
受信機２０の制御部２２０は、スクランブル鍵「Ｋｓ１」を受けると、これをデスクランブラ２１２ａに設定する。デスクランブラ２１２ａは、スクランブル鍵「Ｋｓ１」を設定されると、入力されているＭＰＥＧ２−ＴＳ中の番組ｄｅｆの映像音声をデスクランブルして、ＴＳデコード部２１３ａへ出力する。ＴＳデコード部２１３ａは、番組ｄｅｆの映像音声をデスクランブルされたＭＰＥＧ２−ＴＳを入力されると、検出したＥＣＭを制御部２２０に送りつつ、入力されたＭＰＥＧ２−ＴＳを映像音声デコード部２１４ａへ出力する。映像音声デコード部２１４ａは、ＭＰＥＧ２符号化された映像音声をデコードして映像信号と音声信号を生成し、モニタ出力２０４へ出力する。モニタ出力２０４は、映像信号と音声信号を受けるとその画像を表示し、音声を鳴動する。
【００５１】
この状態で、ＩＣカード３０ａが既に２つの番組のＥＣＭを同時処理しており、これ以上はＥＣＭ処理を行えないとする、このとき、放送処理部１１が番組ｄｅｆと番組ｄｅｆをスクランブルしたスクランブル鍵をワーク鍵ＫｗＡで暗号化したＥＣＭ（共通情報）とを多重化して配信する（Ｓ１６）。この番組ｄｅｆの受信をユーザがリモコン／キーボード２０５を操作して指示すると、キー入力部２０６がこの指示を受付けて、制御部２２０に通知する。制御部２２０は、番組ｄｅｆの受信指示をキー入力部２０６から受けると、チューナ２１１ｂに番組ｄｅｆを含むＭＰＥＧ２−ＴＳの出力を指示する。チューナ２１１ｂは、制御部２２０から指示を受けると、アンテナ２０１が受けた放送波からＭＰＥＧ２−ＴＳを抽出して、デスクランブラ２１２ｂに出力する。
【００５２】
デスクランブラ２１２ｂには、スクランブル鍵が設定されていないので、デスクランブラ２１２ｂは入力されたＭＰＥＧ２−ＴＳを、ＴＳデコード部２１３ｂへそのまま出力する。ＴＳデコード部２１３は、入力されたＭＰＥＧ２−ＴＳからＥＣＭを抽出して、制御部２２０へ出力する。制御部２２０の受信処理部２２は、ＴＳデコード部２１３ｂからＥＣＭを受けると、処理状況テーブルを参照して、ここでは、図４に処理状況テーブルの内容例を示すように、ＩＣカード３０ａの処理中番組が既に最大処理数である２つ登録されていたとすると、出力先をＩＣカード３０ｂとする。ＩＣカード３０ｂはサブのＩＣカードなので、機器ＩＤ２１「１２３」とともにＩＣカード３０ｂへ出力する（Ｓ１７）。
【００５３】
ＩＣカード３０ｂのＥＣＭ処理部３１ｂは、このＥＣＭと機器ＩＤを受けると、ＥＭＭ処理部３２ｂが記憶しているワーク鍵ＫｗＢにて復号してスクランブル鍵「Ｋｓ２」を取得する。さらに、ＥＣＭ処理部３１ｂは、ＥＭＭ処理部３２ｂが記憶している契約情報を参照すると、番組ＩＤ「ｄｅｆ」で契約タイプ「Ａ２」、機器ＩＤ「１２３」を格納しているので、該番組ｄｅｆの契約を保持し、受信機２０から受けた機器ＩＤ「１２３」と一致するとして、視聴可であると判定し、取得したスクランブル鍵「Ｋｓ２」を受信機２０へ出力する（Ｓ１８）。
【００５４】
受信機２０の制御部２２０は、スクランブル鍵「Ｋｓ２」を受けると、これをデスクランブラ２１２ｂに設定する。デスクランブラ２１２ｂは、スクランブル鍵「Ｋｓ２」を設定されると、入力されているＭＰＥＧ２−ＴＳ中の番組ｄｅｆの映像音声をデスクランブルして、ＴＳデコード部２１３ｂへ出力する。ＴＳデコード部２１３ｂは、番組ｄｅｆの映像音声をデスクランブルされたＭＰＥＧ２−ＴＳを入力されると、検出したＥＣＭを制御部２２０に送りつつ、入力されたＭＰＥＧ２−ＴＳを映像音声デコード部２１４ｂへ出力する。映像音声デコード部２１４ｂは、ＭＰＥＧ２符号化された映像音声をデコードして映像信号と音声信号を生成し、モニタ出力２０４へ出力する。モニタ出力２０４は、映像信号と音声信号を受けるとその画像を表示し、音声を鳴動する。
【００５５】
このように、受信機２０に複数のＩＣカードを挿入し、契約の際は挿入されている全てのＩＣカード３０ａ、３０ｂに契約情報を記憶させることで、受信機２０は、１つのＩＣカードが同時に処理できる番組数を越えて同時に受信することができる。
【００５６】
また、サブのＩＣカード３０ｂについては、契約情報とともに機器ＩＤを記憶し、ＥＣＭ処理を行う際に、ＥＣＭ（共通情報）とともに入力された機器ＩＤが、記憶している値と一致しているかを確認することで、サブのＩＣカード３０ｂについては、受信機２０以外の受信機にて、この契約を用いて番組を受信することができないようにできる。これにより、複数のＩＣカードを挿入した受信機にて契約した際に、これらのＩＣカードを別々の受信機に挿入して用いることで、１つの契約を複数の契約であるかのように用いることを防ぐことができる。
なお、本実施形態において、機器ＩＤを記憶し、ＥＣＭ処理時に機器ＩＤの確認を行うのはサブのＩＣカード３０ｂのみであるとして説明したが、メインも含めた全てのＩＣカード３０ａ、３０ｂでも機器ＩＤを記憶し、ＥＣＭ処理時に機器ＩＤの確認を行うようにしてもよい。
【００５７】
また、受信機２０は、受信処理部２２に処理状況テーブルを備え、各ＩＣカード３０ａ、３０ｂに割り当てられているＥＣＭ処理の状況を管理することで、特定のＩＣカードにＥＣＭ処理が偏ってしまうことなく、全てのＩＣカードの処理能力を有効に使うことができる。
【００５８】
なお、本実施形態において、放送処理部１１が出力する番組およびＥＣＭは、放送波にて配信するとして説明したが、電波ではなく、ケーブルＴＶやインターネットなどにより配信してもよい。このとき、公衆回線４０は、番組およびＥＣＭを配信しているケーブルＴＶやインターネットでもよいし、ケーブルＴＶやインターネットとは異なり、電話回線などであってもよい。
また、本実施形態において、契約処理部１２が生成したＥＭＭ（個別情報）は、公衆回線４０を介して送信されるとして説明したが、番組やＥＣＭ（共通情報）を配信している放送により配信してもよい。
また、本実施形態において、契約情報などにおける契約の単位を番組として説明したが、契約の単位は、複数の番組の組み合わせでもよいし、チャンネル単位でもよいし、いくつかのチャンネルの組み合わせであってもよい。
【００５９】
また、図１における受信処理部２２、契約要求処理部２３、ＥＭＭ受信処理部２４、ＥＣＭ処理部３１ａ、３１ｂ、ＥＭＭ処理部３２ａ、３２ｂの機能を実現するためのプログラムをコンピュータ読み取り可能な記録媒体に記録して、この記録媒体に記録されたプログラムをコンピュータシステムに読み込ませ、実行することによりこれらの処理を行ってもよい。なお、ここでいう「コンピュータシステム」とは、ＯＳや周辺機器等のハードウェアを含むものとする。
【００６０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６１】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００６２】
本発明は、地上デジタル放送、ＢＳ／ＣＳデジタル放送などの限定受信システムに用いて好適であるが、これに限られるものではない。
【図面の簡単な説明】
【００６３】
【図１】この発明の一実施形態によるコンテンツ配信システムの構成を示すブロック図である。
【図２】同実施形態における受信機２０の概略構成を示すブロック図である。
【図３】同実施形態における（ａ）カードＤＢ、（ｂ）番組ＤＢ、（ｃ）契約ＤＢの内容例を示す図である。
【図４】同実施形態における受信処理部２２の処理状況テーブルの内容例を示す図である。
【図５】同実施形態におけるＥＭＭ処理部３２ａ、３２ｂの記憶内容例を示す図である。
【図６】同実施形態におけるコンテンツ配信システムの動作を説明するシーケンス図である。
【図７】従来の限定受信の概念を説明する概略ブロック図である。
【図８】従来のＩＣカードの概略構成を示すブロック図である。
【図９】従来の受信機の概略構成を示すブロック図である。
【図１０】従来の限定受信を用いたコンテンツ配信システムの動作を説明するシーケンス図である。
【図１１】従来の限定受信におけるスクランブル鍵の更新とＥＣＭ（共通情報）のＩＣカードにおける処理時間を説明した図である。
【符号の説明】
【００６４】
１０…送信装置（配信装置）
１１…放送処理部（配信手段）
１２…契約処理部（契約手段）
１３…カードＤＢ（データベース）
１４…番組ＤＢ
１５…契約ＤＢ
２０…受信機
２１…機器ＩＤ（機器識別情報）
２２…受信処理部（受信手段）
２３…契約要求処理部（契約要求手段）
２４…ＥＭＭ受信処理部（契約受信手段）
３０ａ、３０ｂ…ＩＣカード（視聴判定装置）
３１ａ、３１ｂ…ＥＣＭ処理部（視聴判定手段）
３２ａ、３２ｂ…ＥＭＭ処理部（契約登録手段）
４０…公衆回線（回線）
２０１…アンテナ
２０２…モデム
２０３…表示部
２０４…モニタ出力
２０５…リモコン／キーボード
２０６…キー入力部
２１０ａ、２１０ｂ…コンテンツ処理部
２１１ａ、２１１ｂ…チューナ部
２１２ａ、２１２ｂ…デスクランブラ
２１３ａ、２１３ｂ…ＴＳデコード部
２１４ａ、２１４ｂ…映像音声デコード部
２２０…制御部
５１０…送信側
５１１…スクランブル装置
５１２…暗号化装置
５１３…暗号化装置
５１４…多重化装置
５２０…受信側
５２１…分離部
５２２…デスクランブル部
５２３…表示部
５２４…蓄積部
５２５…復号部
５２６…視聴判定部
５２７…復号部
５２８…記憶部
５３０…ＩＣカード
５３１…ＩＣカードインターフェース処理部
【図１】
2007266734.tif 000003
【図２】
2007266734.tif 000004
【図３】
2007266734.tif 000005
【図４】
2007266734.tif 000006
【図５】
2007266734.tif 000007
【図６】
2007266734.tif 000008
【図７】
2007266734.tif 000009
【図８】
2007266734.tif 000010
【図９】
2007266734.tif 000011
【図１０】
2007266734.tif 000012
【図１１】
2007266734.tif 000013